(57)【特許請求の範囲】
【請求項１】
７セグメントの位置に孔の開いたケースと、
前記ケースの各孔に後方から取付けられる７つのセグメント形状のＬＥＤ基板と、
前記ケースの各孔に前方から嵌め込まれ、前記ＬＥＤ基板上の複数のＬＥＤから放出される光を前面方向に拡散する拡散レンズと、
前記拡散レンズの前方に配設され、前記７セグメントの位置に孔の開いた前面パネルと、を有し、
各前記ＬＥＤ基板がセグメントの単位で交換可能なことを特徴とする表示ユニット。
【請求項２】
前記ケースの背面への前記ＬＥＤ基板の固定は、複数本の固定ネジにより行われ、前記複数本の固定ネジを取り外すことにより、各前記ＬＥＤ基板の交換が可能であることを特徴とする請求項１に記載の表示ユニット。
【請求項３】
前記前面パネルは、背面方向に垂直に立てられた複数本のボスを有し、
前記ケースの前記複数本のボスの位置に設けられた孔を、前記複数本のボスが貫通し、前記複数本のボスの先端部を固定ナットで固定することにより、前記前面パネルと前記ケースを一体化するように構成されることを特徴とする請求項１に記載の表示ユニット。
【請求項４】
時の１０の桁の数字を表示する７セグメントの第１の表示ユニットと、
時の１の桁の数字を表示する７セグメントの第２の表示ユニットと、
ドットを表示する第３の表示ユニットと、
分の１０の桁の数字を表示する７セグメントの第４の表示ユニットと、
分の１の桁の数字を表示する７セグメントの第５の表示ユニットと、
前記第１〜第５の表示ユニットの発光面の前方にそれぞれ配置され、前記第１〜第５の表示ユニットから出力される光を拡散する拡散レンズと、
前記拡散レンズの前方に配設され、前記第１〜第５の表示ユニットの前記７セグメントの位置に孔の開いた前面パネルと、
前記拡散レンズの表面に貼り付けられた、多数の細孔を有し且つ前記前面パネルと同一色の開孔シートであって、ＬＥＤ消灯時には前記前面パネルと一体感を持った表示状態を呈し、ＬＥＤ点灯時には前記細孔を介して光を通すことで該点灯したＬＥＤに対応するセグメントが浮かび上がるような表示状態を呈する開孔シートと、を含み、
前記第１〜第５の表示ユニットは、複数のＬＥＤが敷き詰められセグメント単位で交換可能なＬＥＤ基板を内蔵することを特徴とする時計表示ユニット。
【発明の詳細な説明】
【技術分野】
【０００１】
本発明は、表示ユニット及び時計表示ユニットに関する。
【背景技術】
【０００２】
表示デバイスとして発光ダイオード(light emitting diode:ＬＥＤ)を使用した時計表示ユニットに関し、例えば、下記特許文献１、２等がある。
【０００３】
特許文献１には、時表示用ＬＥＤ及び分表示用ＬＥＤを文字板の裏側に配置し、時表示用ＬＥＤ及び分表示ＬＥＤを点灯したときのみそれらのＬＥＤの光が文字板を透かしてその文字板の裏側から視認し得る光透過率で形成したＬＥＤ表示時計が提案されている。
【０００４】
又、特許文献２には、電子時計等に用いる表示装置において、バックライト点灯時に絵柄、文字、写真等が鮮明かつ明るく浮かび上がるが、バックライト消灯時にはそれら絵柄、文字、写真等は見えない表示装置が提案されている。
【先行技術文献】
【特許文献】
【０００５】
【特許文献１】特開２００８−１５１６２７号公報
【特許文献２】特開平１１−２２３６８０号公報
【発明の概要】
【発明が解決しようとする課題】
【０００６】
空港で使用する大型表示盤に組み込む時計表示ユニットについて、デザイン性を重視して、点灯時のみ見え消灯時には見えないようにしたいという要望がある。表示デバイスとしてＬＥＤを使用した時計表示ユニットでは、ＬＥＤを直接前面に出す表示方法と、前面に拡散板を設ける表示方法がある。これらの方法では、非点灯時は、点灯していないＬＥＤが直接見えたり、拡散板の乳白色等の色が見えたりする。
【０００７】
又、大型表示盤に組み込む時計表示ユニットでは、十進数のアラビア数字一文字を表示する７セグメントを構成する７つの各セグメントの表示素子は、十分な輝度を確保するために複数のＬＥＤの集合体により構成する必要がある。
【０００８】
一方、７セグメント（seven-segment display）は、十進数のアラビア数字一文字を表現できる位置に配置された各セグメントを選択的に点灯させることで、１０種類のアラビア数字「０，１，２，３，４，５，６，７，８，９」を表現できる。時計表示ユニットに７セグメントを使用した場合、表示される時刻は、「００：００」〜「２３：５９」である。時の１０の桁は、「０，１，２」の何れかの数文字を表示する。時の１の桁は、「０，１，２，３，４，５，６，７，８，９」の何れかの数文字を表示する。分の表示は、「００」〜「５９」であるので、分の１０の桁は、「０，１，２，３，４，５，」の何れかの数文字を表示し、分の１の桁は、「０，１，２，３，４，５，６，７，８，９」の何れかの数文字を表示する。
【０００９】
このように、時の１０の桁、時の１の桁、分の１０の桁、及び分の１の桁を構成する各セグメントには、点灯頻度の多いセグメントと点灯頻度の少ないセグメントがあるため、点灯頻度により輝度劣化の速度が異なる。その結果、７セグメントを構成する７つの各セグメント間で輝度のばらつきが大きくなる。
【００１０】
しかし、従来の時計表示ユニットは、時と分とを表示する例えば「００：００」で１つの時計表示ユニットとなっている。各セグメント間で輝度のばらつきが生じた場合、従来の時計表示ユニットでは、時計表示ユニット全体を交換するようにしていた。そのため、７セグメントの内の一部のセグメントのみに輝度劣化が表れた場合、輝度劣化していないセグメントも含む時計表示ユニット全体を交換する必要があり、交換費用が高くなるという課題があった。
【００１１】
そこで、本発明は、デザイン性を重視すると共に、信頼性・保守性を考慮した表示ユニット及び時計表示ユニットを提供することを目的とする。
【課題を解決するための手段】
【００１２】
本発明の第１の側面の表示ユニットは、７セグメントの位置に孔の開いたケースと、前記ケースの各孔に後方から取付けられる７つのセグメント形状のＬＥＤ基板と、前記ケースの各孔に前方から嵌め込まれ、前記ＬＥＤ基板上の複数のＬＥＤから放出される光を前面方向に拡散する拡散レンズと、前記拡散レンズの前方に配設され、前記７セグメントの位置に孔の開いた前面パネルと、を有し、各前記ＬＥＤ基板がセグメントの単位で交換可能なことを特徴とする。
【００１３】
第２の側面の表示ユニットは、７セグメントの位置に孔の開いたケースと、前記ケースの後方から取付けられる７セグメント一体型のＬＥＤ基板と、前記ケースの各孔に前方から嵌め込まれ、前記ＬＥＤ基板上の複数のＬＥＤから放出される光を前面方向に拡散する拡散レンズと、前記拡散レンズの前方に配設され、前記７セグメントの位置に孔の開いた前面パネルと、を有し、前記ＬＥＤ基板が数字１桁単位で交換可能なことを特徴とする。
【００１４】
第３の側面の時計表示ユニットは、時の１０の桁の数字を表示する７セグメントの第１の表示ユニットと、時の１の桁の数字を表示する７セグメントの第２の表示ユニットと、ドットを表示する第３の表示ユニットと、分の１０の桁の数字を表示する７セグメントの第４の表示ユニットと、分の１の桁の数字を表示する７セグメントの第５の表示ユニットと、前記第１〜第５の表示ユニットの発光面の前方にそれぞれ配置され、前記第１〜第５の表示ユニットから出力される光を拡散する拡散レンズと、前記拡散レンズの前方に配設され、前記第１〜第５の表示ユニットの前記７セグメントの位置に孔の開いた前面パネルと、前記拡散レンズの表面に貼り付けられた、多数の細孔を有し且つ前記前面パネルと同一色の開孔シートであって、ＬＥＤ消灯時には前記前面パネルと一体感を持った表示状態を呈し、ＬＥＤ点灯時には前記細孔を介して光を通すことで該点灯したＬＥＤに対応するセグメントが浮かび上がるような表示状態を呈する開孔シートと、を含み、前記第１〜第５の表示ユニットは、複数のＬＥＤが敷き詰められセグメント単位で交換可能なＬＥＤ基板を内蔵することを特徴とする。
【発明の効果】
【００１５】
本発明の表示ユニットによれば、各セグメント単位又は桁単位でＬＥＤ基板の交換が可能になる。
【００１６】
更に、本発明の時計表示ユニットによれば、ＬＥＤ消灯時には筐体と一体感をもって見え、ＬＥＤ点灯時には、数字が浮き上がって見える時計表示ユニットを実現することができる。
【図面の簡単な説明】
【００１７】
【図１】実施形態１の表示ユニットの組立図である。
【図２】実施形態１の表示ユニットの完成図である。
【図３】実施形態１の表示ユニットの背面図である。
【図４】実施形態１の表示ユニットのＬＥＤ基板の交換方法を説明する図である。
【図５】実施形態２の表示ユニットの組立図である。
【図６】実施形態２の表示ユニットの完成図である。
【図７】実施形態２の表示ユニットの背面図である。
【図８】実施形態２の表示ユニットのＬＥＤ基板の交換方法を説明する図である。
【図９】実施形態３の時計表示ユニットの正面図及び背面図である。
【図１０】実施形態３の時計表示ユニットの表示の仕組みを説明する図である。
【図１１】実施形態３の時計表示ユニットの点灯時と消灯時の表示状態を説明する図である。
【発明を実施するための形態】
【００１８】
以下、図面に従って本発明の実施形態を説明する。
（実施形態１）
先ず、セグメント単位で交換可能な表示ユニットについて説明する。
【００１９】
図１は、実施形態１の表示ユニットの組立図であり、図１（ａ）は前面方向から見た斜視図であり、図１（ｂ）は背面方向から見た斜視図である。
【００２０】
図１（ａ）には、前面方向から背面方向へ７セグメントに対応する７つの孔（１ａ〜１ｇ）が開いた前面パネル１、前面パネル１の孔に対応する７つの拡散レンズ２（２ａ〜２ｇ）、７つの孔（３ａ〜３ｇ）が開いたケース３、及びケース３の７つの孔に対応する７つのＬＥＤ基板４（４ａ〜４ｇ）の順で配置されている。
【００２１】
前面パネル１は、金属や樹脂等の材質により構成され、後述する時計表示ユニットの筐体と同色の塗装が施されている。拡散レンズ２は、ＬＥＤから放出される光を前面方向に拡散するレンズであり、材質はアクリル板等である。拡散レンズ２は、各セグメント単位の構成としているのは、拡散レンズ２から光が漏れて表示される数字に滲みがでるのを防ぐためである。
【００２２】
ケース３の７つの孔（３ａ〜３ｇ）には、対応する７つのセグメント形状のＬＥＤ基板４（４ａ〜４ｇ）が背面方向から取付けられ、後述する不図示の固定ネジ７により固定されている。
【００２３】
図１（ｂ）には、前面パネル１の背面に６本のボス５が背面方向に垂直に立てられている。ボス５の先端部分にはネジ山が切られている。６本のボス５は、ケース３に開けられた６つの孔を貫通して固定ナット６で固定され、表示ユニットが一体として組み立てられる。
【００２４】
図２は、実施形態１の表示ユニットの完成図であり、図２（ａ）は前面から見た斜視図であり、図２（ｂ）は背面から見た斜視図である。
【００２５】
図２（ａ）には、前面パネル１に７つの拡散レンズ２（２ａ〜２ｇ）が嵌め込まれており、前面パネル１にケース３が取付けられている。図２（ｂ）では、ケース３が６本のボス５と固定ナット６により固定され、前面パネル１と一体化されている。そして、ケース３の７つの孔（３ａ〜３ｇ）には、７つのセグメント形状のＬＥＤ基板４（４ａ〜４ｇ）が背面方向から取付けられている。ＬＥＤ基板４は、後述する不図示の固定ネジ７で固定されており、固定ネジ７を外すことで，ＬＥＤ基板４を交換することができる。
【００２６】
図３は、実施形態１の表示ユニットの背面図である。
図３中の左に位置するケース３は、前面パネル１から背面方向に立てられた６本のボス５が６つの固定ナット６で固定されている。そして、ケース３には、７つのＬＥＤ基板４（４ａ〜４ｇ）が、それぞれ４本の固定ネジ７により固定されている。
【００２７】
図３中の右に位置するケース１３は、前面パネル１から背面方向に立てられた５本のボス５が５つの固定ナット６で固定されている。そして、ケース１３には、２つのＬＥＤ基板１４ａ，１４ｂが、それぞれ４本の固定ネジ７により固定されている。
【００２８】
図４は、実施形態１の表示ユニットのＬＥＤ基板の交換方法を説明する図であり、図４（ａ）は、断面イメージを表す図であり、図４（ｂ）は、表示ユニットのＬＥＤ基板の交換イメージを表す図である。
【００２９】
図４（ａ）は、ケース３の孔の部分に拡散レンズ２が嵌め込まれている。前面パネル１から背面方向に立てられたボス５をケース３の孔を貫通させ、ボス５の先端を固定ナット６で固定している。これにより、前面パネル１と拡散レンズ２とケース３とを一体として固定している。多数のＬＥＤ４０が実装されているＬＥＤ基板４は、背面から固定ネジ７によりケース３に固定されている。
【００３０】
図４（ｂ）には、ＬＥＤ基板４の交換イメージが表されており、固定ネジ７を背面方向に抜くことにより、ＬＥＤ基板４のみを背面方向に取り外すことができる。ＬＥＤ基板４上に実装された多数のＬＥＤ４０の輝度が劣化した場合に、新しいＬＥＤ基板４に、セグメント単位で交換することができる。
【００３１】
（実施形態２）
次に、桁単位でＬＥＤ基板が交換可能な表示ユニットについて説明する。
【００３２】
図５は、実施形態２の表示ユニットの組立図であり、実施形態１の表示ユニットの組立図（図１）と共通の要素には共通の符号が付されている。図５に示された表示ユニットは、図１中のケース３及び７つのＬＥＤ基板４に替えて、ケース２３及び１つの一体型のＬＥＤ基板２４を有している。
【００３３】
図５（ａ）は、前面方向から見た斜視図であり、図５（ｂ）は、背面方向から見た斜視図である。
【００３４】
図５（ａ）には、前面方向から背面方向へ７セグメントに対応する７つの孔（１ａ〜１ｇ）が開いた前面パネル１、前面パネル１の孔に対応する７つの拡散レンズ２（２ａ〜２ｇ）、７つの孔（２３ａ〜２３ｇ）が開いたケース２３、及びケース２３の７つの孔に対応する位置に多数のＬＥＤの実装領域（２４ａ〜２４ｇ）を有するセグメント一体型のＬＥＤ基板２４の順で配置されている。
【００３５】
前面パネル１は、金属や樹脂等の材質により構成され、後述する時計表示ユニットの筐体と同色の塗装が施されている。図５中の前面パネル１及び拡散レンズ２は、図１中の前面パネル１及び拡散レンズ２と同じである。
【００３６】
ケース２３の７つの孔（２３ａ〜２３ｇ）に対応する位置に多数のＬＥＤの実装領域（２４ａ〜２４ｇ）を有する１つの一体型のＬＥＤ基板２４が配置されている。ＬＥＤ基板２４は背面方向から６つの固定ナット６より固定されている。
【００３７】
図５（ｂ）には、前面パネル１の背面に６本のボス５が背面方向に垂直に立てられている。ボス５の先端部分にはネジ山が切られている。６本のボス５は、ケース２３に開けられた６つの孔を貫通してケース２３の内側の凹部で固定ナット６により固定される。更に、６本のボス５の先端部分は、ＬＥＤ基板２４に開けられた６つの孔を貫通して固定ナット６で固定される。
【００３８】
図６は、実施形態２の表示ユニットの完成図であり、実施形態１の表示ユニットの完成図（図２）と共通の要素には共通の符号が付されている。図６（ａ）は前面から見た斜視図であり、図６（ｂ）は背面から見た斜視図である。
【００３９】
図６（ａ）には、前面パネル１に７つの拡散レンズ２（２ａ〜２ｇ）が嵌め込まれており、前面パネル１にケース２３が取付けられている。
【００４０】
図６（ｂ）には、ケース２３が６本のボス５と固定ナット６により固定され、前面パネル１と一体化されている。そして、ケース２３の７つの孔（２３ａ〜２３ｇ）に対応する位置に複数のＬＥＤの実装領域（２４ａ〜２４ｇ）を有する１つの一体型のＬＥＤ基板２４が配置されている。
【００４１】
図７は、実施形態２の表示ユニットの背面図であり、実施形態１の表示ユニットの背面図（図３）と共通の要素には共通の符号が付されている。
【００４２】
図７中の左に位置するケース２３は、前面パネル１から背面方向に立てられた６本のボス５がケース２３に開けられた６つの孔及び一体型のＬＥＤ基板２４に開けられた６つの孔を共に貫通してそれぞれ固定ナット６で固定されている。
【００４３】
図７中の右に位置するケース３３は、前面パネル１から背面方向に立てられた５本のボス５がケース３３に開けられた５つの孔及び一体型のＬＥＤ基板３４に開けられた５つの孔を共に貫通して固定ナット６で固定されている。ＬＥＤ基板３４には、ドットの上下２つの点に対応する部分に複数のＬＥＤの実装領域３４ａ，３４ｂを有している。
【００４４】
図８は、実施形態２の表示ユニットのＬＥＤ基板の交換方法を説明する図であり、実施形態１の表示ユニットのＬＥＤ基板の交換方法を説明する図４と共通の要素には共通の符号が付されている。
【００４５】
図８（ａ）は、断面イメージを表す図であり、図８（ｂ）は、表示ユニットのＬＥＤ基板の交換イメージを表す図である。
【００４６】
図８（ａ）は、ケース２３の孔の部分に拡散レンズ２が嵌め込まれている。前面パネル１から背面方向に立てられたボス５をケース２３の孔を貫通させ、ケース２３の孔の内側の凹部で固定ナット６により固定される。これにより、前面パネル１と拡散レンズ２と、ケース２３が一体化される。
【００４７】
更に、６本のボス５の先端部分は、ＬＥＤ基板２４に開けられた６つの孔を貫通して固定ナット６で固定される。これにより、ＬＥＤ基板２４がケース２３に固定され、一体型のＬＥＤ基板２４が数字１桁単位で交換可能な表示ユニットが完成する。
【００４８】
図８（ｂ）には、一体型のＬＥＤ基板２４の交換イメージが表されている。前面パネル１から背面方向に立てられた６本のボス５は、ケース２３の孔の内側の凹部で固定ナット６により固定される。ＬＥＤ基板２４に開けられた６つの孔を貫通したボス５の先端を固定している固定ナット６を取り外すと、一体型のＬＥＤ基板２４の交換が可能になる。一体型のＬＥＤ基板２４は、例えば、７セグメントに対応する部分に複数のＬＥＤ４０が実装されている。
【００４９】
前面パネル１から背面方向に立てられたボス５をケース２３の孔を貫通させ、ケース２３の孔の内側の凹部で固定ナット６により固定することにより、前面パネル１と拡散レンズ２とケース２３とが一体的に固定されている。そのため、背面側の一番外側の固定ナット６を取り外すことにより、一体型のＬＥＤ基板２４のみを容易に交換可能である。
【００５０】
（実施形態３）
次に、本発明の実施形態３の時計表示ユニットについて説明する。
【００５１】
図９は、実施形態３の時計表示ユニットの正面図及び背面図であり、図９（ａ）は正面図であり、図９（ｂ）は背面図である。
【００５２】
図９（ａ）には、時計表示ユニット１００の正面図が表示されている。左から右へ７セグメント表示をする第１の表示ユニット１１０（時の１０の桁）、７セグメント表示をする第２の表示ユニット１２０（時の１の桁）、第３の表示ユニット１３０（ドット表示）、７セグメント表示をする第４の表示ユニット１４０（分の１０の桁）、及び７セグメント表示をする第５の表示ユニット１５０（分の１の桁）が配置されている。第１の表示ユニット１１０では、時の１０の桁を表示する７つのセグメント形状のＬＥＤ基板４が、それぞれ４本の固定ネジ７によりケース３に固定されている。
【００５３】
図９（ｂ）には、時計表示ユニット１００の背面図が表示されている。時計表示ユニット１００の上端及び下端には、それぞれ７本のボス１５が前面パネル１から背面方向に垂直に立てられている。この上下合わせて１４本のボス１５は、時計表示ユニット１００を例えば、空港で使用する大型表示盤に組み込む際に、固定ナット６で固定するときに使用する。
【００５４】
左端に位置する第１の表示ユニット１１０（時の１０の桁）は、前面パネル１から背面方向に垂直に立てられた６本のボス５が、ケース３の孔を貫通して固定ナット６により固定されている。第１の表示ユニット１１０の右隣の第２の表示ユニット１２０（時の１の桁）は、第１の表示ユニット１１０と同様に、前面パネル１から背面方向に垂直に立てられた６本のボス５が、ケース３の孔を貫通して固定ナット６により固定されている。
【００５５】
第３の表示ユニット１３０（ドット表示）は、前面パネル１から背面方向に垂直に立てられた５本のボス５が、ケース１３の孔を貫通して固定ナット６により固定されている。
【００５６】
第４の表示ユニット１４０及び第５の表示ユニット１５０は、第１の表示ユニット１１０及び第２の表示ユニット１２０と同様に、前面パネル１から背面方向に垂直に立てられた６本のボス５がケース３の孔を貫通して固定ナット６により固定されている。
【００５７】
図１０は、実施形態３の時計表示ユニットの表示の仕組みを説明する図である。
図１０（ａ）の時計表示ユニットの側面図では、前面パネル１から背面方向に伸びたボス５を固定ナット６で固定することにより、前面パネル１にケース３が固定される。そして、拡散レンズ２および前面パネル１の表面に開孔シート８が貼付されている。開孔シート８には、ＬＥＤ点灯時に前面パネル１に嵌め込まれている拡散レンズ２を通過する光を透過させる機能を有している。尚、開孔シート８は、前面パネル１と同一色である。
【００５８】
図１０（ｂ）には、時計表示ユニットのＬＥＤ点灯時の表示の原理を説明する図が示されている。
【００５９】
ＬＥＤ点灯時は、ケース３の背面側に配設されたＬＥＤ基板４上に実装されている多数のＬＥＤ４０から放出される光が前面パネル１に嵌め込まれた拡散レンズ２及び開孔シート８を通して正面方向へ放出されている。これにより、数文字及びドットが浮き上がるように表示される。
【００６０】
図１０（ｃ）は時計表示ユニットのＬＥＤ消灯時の表示の原理を説明する図である。
一方、ＬＥＤ消灯時には、正面方向へ光は放出されず、開孔シート８は、前面パネル１と同一色であるので、時計表示ユニットの表示は前面パネル１と一体感を持った表示状態となる。
【００６１】
図１１は、実施形態３の時計表示ユニットの点灯時と消灯時の表示状態を説明する図である。
【００６２】
図１１（ａ）は、ＬＥＤ消灯時の時計表示部分を示す図であり、拡散レンズ２および前面パネル１は開孔シート８で覆われている。開孔シート８は、筐体塗装色（例えば、PANTONE279C）と同色のシート色であり、ＬＥＤ消灯時の時計表示部分は、シート色と同化し一体感をもった表示状態となる。
【００６３】
図１１（ｂ）は、ＬＥＤ消灯時の７セグメントの一部を拡大した図であり、セグメント１２０ｃ，１２０ｄ，１２０ｅ部分には、開孔シート８に空いているφ１．５ｍｍの孔を多数見ることができる。
【００６４】
図１１（ｃ）は、ＬＥＤ点灯時の７セグメントの時計表示部分を示す図であり、「１２：３４」の時刻表示がされている。図１１（ｄ）はＬＥＤ点灯時の７セグメントの一部を拡大した図であり、時の１の桁を表示する７セグメント表示（数字“２”）の下方部分のみを拡大した図である。セグメント１２０ｃからの光漏れはなく、開孔シート８に空いているφ１．５ｍｍの孔が僅かに見える。ＬＥＤ点灯時には、ＬＥＤから放出される光が拡散レンズ２により拡散され、開孔シート８を透して光が広がることにより、セグメント１２０ｄ及び１２０ｅが浮かび上がるように表示される。
【００６５】
（実施形態の効果）
本発明の実施形態１の表示ユニットによれば、図３に示されているように、ケース３の背面に、７つのセグメント形状のＬＥＤ基板４（４ａ〜４ｇ）が、それぞれ４本の固定ネジ７により固定されている。４本の固定ネジ７を取り外すことにより、図４に示されているように、各ＬＥＤ基板４をセグメント単位で個別に交換することが可能になる。
【００６６】
本発明の実施形態２の表示ユニットによれば、図７に示されているように、ケース２３に開けられた６つの孔及び一体型のＬＥＤ基板２４に開けられた６つの孔を共に貫通して６つの固定ナット６で一体型のＬＥＤ基板２４が固定されている。図８に示されているように、前面パネル１とケース２３は、ケース２３の孔の内側の凹部で固定ナット６により固定されているので、外側の６つの固定ナット６を取り外すことにより、一体型のＬＥＤ基板２４だけを取り外して、交換することが可能になる。
【００６７】
本発明の実施形態３の時計表示ユニット１００によれば、図１１に示されているように、ＬＥＤ消灯時には、シート色と同化し一体感をもった表示状態となり、ＬＥＤ点灯時には、セグメントが浮かび上がるように表示することが可能になる。
【００６８】
（変形例）
本発明の実施形態における説明では言及しなかったが、７セグメントを構成する各セグメントの輝度を調整するため、ＬＥＤ基板上に輝度調整ボリウムを設けても良い。例えば、図３中のＬＥＤ基板４は、ケース３を４本の固定ネジ７で固定するＬＥＤが実装されていない部分（のりしろ部分）を有している。こののりしろ部分に輝度調整ボリウムを実装し、この輝度調整ボリウムを調整することによりＬＥＤの輝度調整をしても良い。
【００６９】
以上、本発明の実施形態について説明したが、本発明は、上述した実施形態に限定されるものではなく、本発明の要旨を逸脱しない範囲内で種々の構成又は実施形態を採ることができる。
【符号の説明】
【００７０】
１                          前面パネル
１ａ〜１ｇ                  前面パネルの孔
２，２ａ〜２ｇ              拡散レンズ
３，１３，２３，３３        ケース
３ａ〜３ｇ                  ケースの孔
２３ａ〜２３ｇ              ケースの孔
４，４ａ〜４ｇ，１４，２４  ＬＥＤ基板
１４ａ，１４ｂ，３４        ＬＥＤ基板
４０                        ＬＥＤ
５，１５                    ボス
６                          固定ナット
７                          固定ネジ
８                          開孔シート
２４ａ〜２４ｇ              ＬＥＤの実装領域
３４ａ，３４ｂ              ＬＥＤの実装領域
１００                      時計表示ユニット
１１０                      第１の表示ユニット
１２０                      第２の表示ユニット
１３０                      第３の表示ユニット
１４０                      第４の表示ユニット
１５０                      第５の表示ユニット
【図１】
0006505626.tif 000002
【図２】
0006505626.tif 000003
【図３】
0006505626.tif 000004
【図４】
0006505626.tif 000005
【図５】
0006505626.tif 000006
【図６】
0006505626.tif 000007
【図７】
0006505626.tif 000008
【図８】
0006505626.tif 000009
【図９】
0006505626.tif 000010
【図１０】
0006505626.tif 000011
【図１１】
0006505626.tif 000012